(57)【要約】【課題】  処置を行うために移動を要するレーザ光利用部を小型化、軽量化して容易に移動することができる生体処置システムを提供すること。【解決手段】  生体処置システム１は、人体（生体）に手術等の処置を行う手術室（処置室）の天井から複数懸架される天吊アーム群のうちの一つの天吊アームに、ＬＤを有して配されたレーザ光源部６と、レーザ光源部６から射出されたレーザ光を照明光として利用する内視鏡本体（レーザ光利用部）７を有する内視鏡装置と、レーザ光源部６から射出されたレーザ光を内視鏡本体７に導光するレーザ光導光部１０とを備えている。【選択図】  図２
2006288534.tif 000002
【特許請求の範囲】
【請求項１】
生体に処置を行う処置室内又は該処置室外に配される一つ又は複数のレーザ光源部と、
該レーザ光源部から射出されたレーザ光を前記処置室内で利用する一つ又は複数のレーザ光利用部と、
前記レーザ光源部から射出されたレーザ光を前記レーザ光利用部に導光する一つ又は複数のレーザ光導光部とを備えていることを特徴とする生体処置システム。
【請求項２】
前記レーザ光源部の一つから射出されたレーザ光が一つの前記レーザ光利用部に導光されることを特徴とする請求項１に記載の生体処置システム。
【請求項３】
前記レーザ光源部の一つから射出されたレーザ光を複数の前記レーザ光利用部に導光する分配部を備えていることを特徴とする請求項１に記載の生体処置システム。
【請求項４】
異なる波長のレーザ光をそれぞれ射出する複数の前記レーザ光源部から射出されたレーザ光を選択して前記レーザ光利用部の一つに導光する選択部を備えていることを特徴とする請求項１に記載の生体処置システム。
【請求項５】
前記レーザ光利用部に導光されるレーザ光の光量を検出する光検出部と、
該光検出部からの情報に基づいて複数の前記レーザ光利用部に導光するレーザ光の光量を可変制御する制御部とを備えていることを特徴とする請求項３に記載の生体処置システム。
【請求項６】
前記光検出部が複数の前記レーザ光利用部のそれぞれに対応して配されていることを特徴とする請求項４に記載の生体処置システム。
【請求項７】
前記レーザ光導光部が光ファイバを備え、
前記レーザ光源部及び前記レーザ光利用部のそれぞれと着脱可能に接続されることを特徴とする請求項１から６の何れか一つに記載の生体処置システム。
【請求項８】
前記レーザ光導光部が、光ファイバを備え、
前記レーザ光源部と前記レーザ光導光部とが予め接続され、
前記レーザ光利用部と前記レーザ光導光部とが着脱可能に接続されることを特徴とする請求項１から６の何れか一つに記載の生体処置システム。
【請求項９】
前記レーザ光導光部が、前記処置室の天井から懸架されていることを特徴とする請求項７又は８に記載の生体処置システム。
【請求項１０】
前記レーザ光導光部が、前記レーザ光源部から射出されたレーザ光を電磁波として空間伝送させる送信部と、
該送信部から発信された前記電磁波を受信して再びレーザ光に変換する受信部とを備えていることを特徴とする請求項１から６の何れか一つに記載の生体処置システム。
【請求項１１】
前記レーザ光利用部が、前記レーザ光源部から射出されたレーザ光を励起光として受光して照明光を発する蛍光体を備えていることを特徴とする請求項１から１０の何れか一つに記載の生体処置システム。
【請求項１２】
前記レーザ光利用部が、生体内に挿入される挿入部を有する内視鏡装置であることを特徴とする請求項１から１１の何れか一つに記載の生体処置システム。
【請求項１３】
前記蛍光体が前記挿入部に配されていることを特徴とする請求項１２に記載の生体処置システム。
【請求項１４】
前記レーザ光源部が、レーザダイオードを備えていることを特徴とする請求項１から１３の何れか一つに記載の生体処置システム。
【発明の詳細な説明】
【技術分野】
【０００１】
本発明は、レーザ光を利用して処置を行う際に使用される生体処置システムに関する。
【背景技術】
【０００２】
一般に、手術室や内視鏡室に配される生体処置システム１００にて使用される内視鏡装置１０１は、図９に示すように、被写体１０２となる生体の内部に挿入される管状の挿入部１０３を有する内視鏡本体１０４と、光源ランプ１０５が配された筐体部１０６とを備えている。
内視鏡本体１０４には、光源ランプ１０５から出射された光を導いて挿入部１０３の先端から被写体１０２に光を照射させるための光ファイバの束であるライトガイド１０７が内部に配されている。挿入部１０３の先端には、被写体１０２の撮像手段として、例えば、ＣＣＤ１０８が配されている。
【０００３】
筐体部１０６は、光源ランプ１０５に電力を供給する電源ユニット１０６Ａと、ＣＣＤ１０８が撮像した撮像信号を映像信号に変換して筐体部１０６とは別に配されるモニタ１０６Ｂに伝送する画像処理ユニット１０６Ｃと、光源ランプ１０５の発光タイミングを調整する点灯制御ユニット１０６Ｄとをさらに備えている。
このような内視鏡装置の光源ランプとして、例えばキセノンランプなどが代表的なものとして知られている（例えば、特許文献１参照。）。
【０００４】
このような生体処置システム１００の場合、光源ランプ１０５が全方位に照明光を放射することから、一般的に光源ランプ１０５よりも小径のライトガイド１０７の入射端面に集光するためにリフレクタ１０９が必要とされる。このため、光源ランプ１０５自体が元々大きい上にリフレクタ１０９も大きいことから、光源ランプ１０５が配される筐体部１０６全体が大型になってしまう。
【０００５】
そこで、近年、光源ランプの代わりにレーザダイオード（以下、ＬＤと称する。）等を有するレーザ光源部と、レーザ光を励起光として受光して照明光を発する蛍光体と、該蛍光体にレーザ光を導光する光ファイバとが配される内視鏡装置が提案されている。ここで、蛍光体は、レーザ光が照射されることによって励起光を発するものとされて内視鏡本体に配されている。即ち、内視鏡本体は、レーザ光を照明光として利用するレーザ光利用部として機能している。このようなレーザ光利用部としては、レーザ光を患部に照射して治療するレーザ治療器等も含まれる。
【０００６】
しかしながら、上記特許文献２に記載の生体処置システムは、ＬＤが発熱するために放熱対策が必要とされる。そのため、例えば、ＬＤを冷却する冷却部材等が内視鏡本体やレーザ治療器に配された場合には、これらレーザ光利用部が重く大きなものとなってしまい、移動させる際に取り扱いが困難となってしまう。
【特許文献１】特開２００１−３２１３３５号公報
【発明の開示】
【発明が解決しようとする課題】
【０００７】
本発明は上記事情に鑑みて成されたものであり、処置を行うために移動を要するレーザ光利用部を小型化、軽量化して容易に移動することができる生体処置システムを提供することを目的とする。
【課題を解決するための手段】
【０００８】
本発明は、上記課題を解決するため、以下の手段を採用する。
本発明に係る生体処置システムは、生体に処置を行う処置室内又は該処置室外に配される一つ又は複数のレーザ光源部と、該レーザ光源部から射出されたレーザ光を前記処置室内で利用する一つ又は複数のレーザ光利用部と、前記レーザ光源部から射出されたレーザ光を前記レーザ光利用部に導光する一つ又は複数のレーザ光導光部とを備えていることを特徴とする。
【０００９】
この生体処置システムは、レーザ光源部がレーザ光利用部とは別に配されているので、レーザ光導光部の長さ及び配置を変更することによってレーザ光源部に対してレーザ光利用部を自由な位置に配設することができる。
【００１０】
また、本発明に係る生体処置システムは、前記生体処置システムであって、前記レーザ光源部の一つから射出されたレーザ光が一つの前記レーザ光利用部に導光されることを特徴とする。
この生体処置システムは、レーザ光源部とレーザ光利用部とが１対１に対応しているので、レーザ光利用部の用途に応じて好適な波長のレーザ光をレーザ光源部から供給することができる。
【００１１】
また、本発明に係る生体処置システムは、前記生体処置システムであって、前記レーザ光源部の一つから射出されたレーザ光を複数の前記レーザ光利用部に導光する分配部を備えていることを特徴とする。
この生体処置システムは、レーザ光源部の集中管理やメンテナンスを容易に行うことができる。
【００１２】
また、本発明に係る生体処置システムは、前記生体処置システムであって、異なる波長のレーザ光をそれぞれ射出する複数の前記レーザ光源部から射出されたレーザ光を選択して前記レーザ光利用部の一つに導光する選択部を備えていることを特徴とする。
この生体処置システムは、複数の異なる波長のレーザ光を一つの選択部を介して複数のレーザ光利用部に供給することができ、より好適に省力化、省スペース化を図ることができる。
【００１３】
また、本発明に係る生体処置システムは、前記生体処置システムであって、前記レーザ光利用部に導光されるレーザ光の光量を検出する光検出部と、該光検出部からの情報に基づいて複数の前記レーザ光利用部に導光するレーザ光の光量を可変制御する制御部とを備えていることを特徴とする。
この生体処置システムは、複数のレーザ光利用部にてレーザ光が利用されることによってレーザ光の光量が変化するような場合、制御部にてフィードバック制御を行うことによって、レーザ光利用部におけるレーザ光を一定の光量に維持することができる。
【００１４】
また、本発明に係る生体処置システムは、前記生体処置システムであって、前記光検出部が複数の前記レーザ光利用部のそれぞれに対応して配されていることを特徴とする。
この生体処置システムは、レーザ光源部の一つから射出させたレーザ光を複数のレーザ光利用部のそれぞれに対して所望する光量に個別に変更して導光することができる。
【００１５】
また、本発明に係る生体処置システムは、前記生体処置システムであって、前記レーザ光導光部が光ファイバを備え、前記レーザ光源部及び前記レーザ光利用部のそれぞれと着脱可能に接続されることを特徴とする。
この生体処置システムは、必要なときに処置室内にレーザ光導光部を配設することができ、処置室内の整理・片付けを容易に行うことができる。
【００１６】
また、本発明に係る生体処置システムは、前記生体処置システムであって、前記レーザ光導光部が、光ファイバを備え、前記レーザ光源部と前記レーザ光導光部とが予め接続され、前記レーザ光利用部と前記レーザ光導光部とが着脱可能に接続されることを特徴とする。
この生体処置システムは、レーザ光利用部をレーザ光導光部に接続するだけでレーザ光利用部にレーザ光を容易に供給することができ、処置のための準備を短時間で行うことができる。
【００１７】
また、本発明に係る生体処置システムは、前記生体処置システムであって、前記レーザ光導光部が、前記処置室の天井から懸架されていることを特徴とする。
この生体処置システムは、レーザ光導光部を処置室内の床に配する必要がないので、レーザ光導光部が処置の際に邪魔になるのを好適に抑えることができ、処置の確実性を高めることができる。
【００１８】
また、本発明に係る生体処置システムは、前記生体処置システムであって、前記レーザ光導光部が、前記レーザ光源部から射出されたレーザ光を電磁波として空間伝送させる送信部と、該送信部から発信された前記電磁波を受信して再びレーザ光に変換する受信部とを備えていることを特徴とする。
この生体処置システムは、レーザ光源部から射出されたレーザ光をレーザ光利用部に空間伝送することができ、処置室での処置の際、レーザ光導光部が処置の邪魔になることを好適に抑えることができる。
【００１９】
また、本発明に係る生体処置システムは、前記生体処置システムであって、前記レーザ光利用部が、前記レーザ光源部から射出されたレーザ光を励起光として受光して照明光を発する蛍光体を備えていることを特徴とする。
この生体処置システムは、蛍光体から発せられる光の波長を所望の波長とすることによって、例えば、蛍光体から白色光を射出してレーザ光を照明光として利用することができる。
【００２０】
また、本発明に係る生体処置システムは、前記生体処置システムであって、前記レーザ光利用部が、生体内に挿入される挿入部を有する内視鏡装置であることを特徴とする。
この生体処置システムは、内視鏡装置がレーザ光源部を備える必要がないので、内視鏡装置の小型化、軽量化を図ることができ、レーザ光源部のメンテナンスを容易に行うことができる。
【００２１】
また、本発明に係る生体処置システムは、前記生体処置システムであって、前記蛍光体が前記挿入部に配されていることを特徴とする。
この生体処置システムは、内視鏡装置の挿入部を生体内に挿入して観察する際に、レーザ光源部から射出されたレーザ光を使用して照明することができる。
【００２２】
また、本発明に係る生体処置システムは、前記生体処置システムであって、前記レーザ光源部が、レーザダイオードを備えていることを特徴とする。
この生体処置システムは、レーザ光源部自体を小型化することができ、処置室内及び処置室外においてレーザ光源部を設置する場所の省スペース化を図ることができる。
【発明の効果】
【００２３】
本発明によれば、レーザ光利用部にレーザ光源部のための冷却部材等を配する必要がなく、レーザ光利用部の小型化、軽量化を図ることができ、容易に移動することができる。
【発明を実施するための最良の形態】
【００２４】
本発明に係る第１の実施形態について、図１及び図２を参照して説明する。
本実施形態に係る生体処置システム１は、人体（生体）に手術等の処置を行う手術室（処置室）２の天井から複数懸架される天吊アーム群３のうちの一つの天吊アーム３Ａに、ＬＤ５を有して配されたレーザ光源部６と、レーザ光源部６から射出されたレーザ光を照明光として利用する内視鏡本体（レーザ光利用部）７を有する内視鏡装置８と、レーザ光源部６から射出されたレーザ光を内視鏡本体７に導光するレーザ光導光部１０とを備えている。
【００２５】
レーザ光源部６が配された天吊アーム３Ａには、ＬＤ５からの光をレーザ光導光部１０に導光するための光ファイバ１１が配されており、その先端には、レーザ光導光部１０と接続されるＬＤ側光リンクコネクタ１２が配されている。
レーザ光源部６のＬＤ５は、所定の波長を有するレーザ光を射出するものとされており、後述する蛍光体２０と１対１に対応している。
【００２６】
レーザ光導光部１０は、光ファイバが螺旋状に成形されて一方向に伸縮自在とされている。
レーザ光導光部１０の両端には、導光側光リンクコネクタ１３が接続されており、ＬＤ側光リンクコネクタ１２及び後述する内視鏡側光リンクコネクタ２１と着脱可能に接続される。
なお、レーザ光導光部１０は、螺旋状以外に形成されていても構わず、固定された天吊アーム３Ａと移動可能な内視鏡本体７との間を好適に接続できるものであれば、直線状、曲線状に形成されて巻回された状態で配されていてもよい。
【００２７】
内視鏡装置８は、レーザ光源部６に電源供給するために図示しない電源部や、内視鏡本体７によって撮像された被写体の観察画像を表示するモニタ１５及び画像処理等を行う図示しない画像処理部を有する筐体部１６をさらに備えている。筐体部１６及び筐体部１６のモニタ１５は、天吊アーム群３の他の天吊アーム３Ｂ、３Ｃにそれぞれ配されており、天吊アーム群３を介してレーザ光源部６と電気的に接続されている。
【００２８】
内視鏡本体７は、生体内に挿入される挿入部１７と、挿入部１７を湾曲操作する操作部１８とを備えている。挿入部１７の先端には、レーザ光源部６から射出されたレーザ光が照射されて、例えば、白色の光を発する蛍光体２０が配されている。
操作部１８には、導光側光リンクコネクタ１３と接続される内視鏡側光リンクコネクタ２１が配されている。
挿入部１７及び操作部１８には、これらを連通するとともに、一端が内視鏡側光リンクコネクタ２１と接続され、他端が蛍光体２０と対向して載置される挿入部光ファイバ２２が配されている。
また、手術室２の中央付近にはベッド２３が配されており、天吊アーム群３の各アームは、各種機器を懸架した状態でベッド２３の上方を移動可能とされている。
【００２９】
次に、本実施形態に係る生体処置システム１による処置、及び作用・効果について説明する。
内視鏡装置８を使用して手術を行う際、まず、導光側光リンクコネクタ１３と天吊アーム３Ａに配されたＬＤ側光リンクコネクタ１２とを接続する。
そして、レーザ光導光部１０を所定の長さに引き伸ばしてもう一つのＬＤ側光リンクコネクタ１２と内視鏡本体７の内視鏡側光リンクコネクタ２１とを接続する。
【００３０】
処置の際には、筐体部１６に配された図示しないスイッチを操作することによって、レーザ光源部６に電源供給してＬＤ５からレーザ光を射出する。
レーザ光は天吊アーム３Ａ内の光ファイバ１１を導光されてＬＤ側光リンクコネクタ１２に到達し、レーザ光導光部１０内を導光されて内視鏡側光リンクコネクタ２１から操作部１８内に入って挿入部光ファイバ２２の他端から蛍光体２０に射出される。
【００３１】
こうして、蛍光体２０が励起して白色光が被写体に発せられる。
被写体の反射光は、図示しないＣＣＤ等によって撮像されて筐体部１６に伝送され、画像処理がなされてモニタ１５に表示される。
その他の処置を終了後、内視鏡本体７とレーザ光導光部１０とを切り離し、レーザ光導光部１０と天吊アーム３Ａとを切り離して手術を終了する。
【００３２】
この生体処置システム１によれば、レーザ光源部６が内視鏡本体７とは別に配されているので、レーザ光導光部１０の長さ及び配置を変更することによってレーザ光源部６に対して内視鏡本体７を自由な位置に配設することができる。
従って、内視鏡本体７にレーザ光源部６のための冷却部材等を配する必要がなく、内視鏡本体７の小型化、軽量化を図ることができ、容易に移動することができる。また、レーザ光源部６のメンテナンスの際、内視鏡本体７を持ち出す必要がないので、レーザ光源部６のメンテナンスを容易に行うことができる。
【００３３】
また、レーザ光導光部１０が天吊アーム３Ａ及び内視鏡本体７と着脱可能とされているので、必要なときに手術室２内にレーザ光導光部１０を配設することができ、手術室２内の整理・片付けを容易に行うことができる。この際、レーザ光導光部１０が天吊アーム３Ａから懸架される状態となるので、レーザ光導光部１０を手術室２内の床に配する必要がなくなり、レーザ光導光部１０が処置の際に邪魔になるのを好適に抑えることができ、処置の確実性を高めることができる。
さらに、ＬＤ５からレーザ光を射出するので、レーザ光源部６自体を小型化することができ、手術室２内においてレーザ光源部６を設置する場所の省スペース化を図ることができる。
【００３４】
また、蛍光体２０が内視鏡本体７の挿入部１７に配されているので、レーザ光源部６からのレーザ光によって被写体の観察を好適に行うことができる。
この際、挿入部１７にレーザ光源部６と内視鏡本体７の蛍光体２０とが１対１に対応しているので、観察内容に応じて好適な波長のレーザ光をレーザ光源部６から供給することができる。
【００３５】
次に、第２の実施形態について説明する。
なお、上述した第１の実施形態と同様の構成要素には同一符号を付すとともに説明を省略する。
第２の実施形態と第１の実施形態との異なる点は、本実施形態に係る生体処置システムのレーザ光源部のＬＤ側光リンクコネクタとレーザ光導光部の導光側光リンクコネクタとが予め接続されているとした点である。
【００３６】
この生体処置システムにおいても、第１の実施形態に係る生体処置システム１と同様の作用・効果を奏することができる。
特に、レーザ光利用部をレーザ光導光部に接続するだけでレーザ光利用部にレーザ光を容易に供給することができ、処置のための準備を短時間で行うことができる。
【００３７】
次に、第３の実施形態について図３を参照しながら説明する。
なお、上述した他の実施形態と同様の構成要素には同一符号を付すとともに説明を省略する。
第３の実施形態と第１の実施形態との異なる点は、本実施形態に係る生体処置システム３０のレーザ光導光部３１が、レーザ光源部６から射出されたレーザ光を電磁波として空間伝送させる送信部３２と、送信部３２から発信された電磁波を受信して再びレーザ光に変換する受信部３３とを備えているとした点である。
【００３８】
送信部３２は、レーザ光源部６から射出されたレーザ光を空間伝送可能な周波数の電磁波に変換するＯＥ変換部３５及び変換された電磁波を送信するためのＲＦ送信部３６とを備えており、天吊アーム３Ａの先端に配されている。なお、周波数変換させずにレーザ光源部６から射出されたレーザ光をそのまま空間伝送させても構わない。
受信部３３は、内視鏡本体３７の操作部３８に配されている。
【００３９】
この生体処置システム３０によれば、レーザ光源部６から射出されたレーザ光を内視鏡本体３７に空間伝送することができ、手術室での処置の際、レーザ光導光部３１が処置の邪魔になることを好適に抑えることができる。
【００４０】
次に、第４の実施形態について図４を参照しながら説明する。
なお、上述した他の実施形態と同様の構成要素には同一符号を付すとともに説明を省略する。
第４の実施形態と第１の実施形態との異なる点は、本実施形態に係る生体処置システム４０のレーザ光源部６が天吊アーム３Ａではなく手術室外に配され、レーザ光源部６の一つから射出されたレーザ光を複数の手術室にそれぞれ配された内視鏡本体４１、４２、４３に導光するための分配器（分配部）４５を備えているとした点である。
【００４１】
生体処置システム４０は、レーザ光源部６に配されたＬＤ５を駆動制御するためのＬＤ駆動部（制御部）４６をさらに備えており、レーザ光源部６と接続されている。なお、レーザ光源部６のＬＤ５の波長は一定の波長に固定されている。
分配器４５から図示しないＬＤ側光リンクコネクタまでは、図示しない光ファイバによってレーザ光が導光される。なお、このレーザ光を上記第３の実施形態のように各内視鏡本体４１、４２、４３に空間伝送させてもよい。
【００４２】
この生体処置システム４０によれば、上記他の実施形態と同様に内視鏡本体４１、４２、４３それぞれの小型化・軽量化を図ることができる。
特に、各手術室にレーザ光源部６を配する必要がないので、システム全体が経済的であり、レーザ光源部６を一括して集中管理することができ効率良くメンテナンスすることができる。
【００４３】
次に、第５の実施形態について図５を参照しながら説明する。
なお、上述した他の実施形態と同様の構成要素には同一符号を付すとともに説明を省略する。
第５の実施形態と第４の実施形態との異なる点は、本実施形態に係る生体処置システム５０が、レーザ光の光量を検出する光検出部５１をさらに備え、ＬＤ駆動部５２が、光検出部５１からの情報に基づいて複数の内視鏡本体４１、４２、４３に導光するレーザ光の光量を可変制御するものとした点である。
【００４４】
光検出部５１は、使用される内視鏡本体の数によってＬＤ５から分配器４５に入力されるレーザ光量の変化を検出する図示しないセンサを備えている。
ＬＤ駆動部５２は、光検出部５１が検出した光量情報に基づいてレーザ光の出力をフィードバック制御してＬＤ５の総出力を可変するものとされている。
【００４５】
この生体処置システム５０によれば、内視鏡本体４１、４２、４３のそれぞれにてレーザ光が利用されることによってレーザ光の光量が変化するような場合、ＬＤ駆動部５２にてフィードバック制御を行うことによって内視鏡本体４１、４２、４３におけるレーザ光を一定の光量に維持することができる。
【００４６】
次に、第６の実施形態について図６を参照しながら説明する。
なお、上述した他の実施形態と同様の構成要素には同一符号を付すとともに説明を省略する。
第６の実施形態と第５の実施形態との異なる点は、本実施形態に係る生体処置システム６０が、図示しない天吊アームに配されて複数の内視鏡本体４１、４２、４３のそれぞれに対応する光検出部６１、６２、６３を備えているとした点である。
【００４７】
光検出部６１、６２、６３からの光量に関する情報は、手術室外に配された主光検出部６５に集められてＬＤ駆動部６６に伝達される。
また、各光検出部６１、６２、６３には、内視鏡本体４１、４２、４３に導光する光量を可変制御するための図示しないスイッチが配されている。
ＬＤ駆動部６６では、各光検出部６１、６２、６３からの光量情報及びスイッチによって指定された光量を比較して、分配器４５から所定の光量で出力されるようにＬＤ５を駆動制御する。
【００４８】
例えば、内視鏡本体４１のみ光量レベルを下げたい場合には、スイッチを所望のレベルに操作することによって、その変更情報が主光検出部６５に伝達され、ＬＤ駆動部６６にて情報処理されてＬＤ５の出力が変化する。この光量変化を光検出部６１が検出して主光検出部６５に伝達し、ＬＤ駆動部６６にてフィードバック制御が行われて所望の光量に調整される。
この生体処置システム６０によれば、レーザ光源部６の一つから射出させたレーザ光を複数の内視鏡本体４１、４２、４３のそれぞれに対して所望する光量に個別に変更して導光することができる。
【００４９】
次に、第７の実施形態について図７を参照しながら説明する。
なお、上述した他の実施形態と同様の構成要素には同一符号を付すとともに説明を省略する。
第７の実施形態と第４の実施形態との異なる点は、本実施形態に係る生体処置システム７０が、異なる波長のレーザ光をそれぞれ射出する複数のレーザ光源部７１、７２、７３を備え、各レーザ光源部７１、７２、７３から射出されたレーザ光を選択して図示しないレーザ光利用部に導光する選択部７５を備えているとした点である。
【００５０】
レーザ光利用部は、上述した内視鏡本体のみならず、例えば、白色光以外の励起光を発する蛍光体を有する別の内視鏡本体や、レーザ光を治療に使用可能なレーザ治療器とされている。これらに対応して、レーザ光源部７１には蛍光体から白色光を励起させる波長のレーザ光を射出する図示しないＬＤが配され、レーザ光源部７２には蛍光体から白色光以外の他の光を射出させる波長のレーザ光を射出する図示しないＬＤが配され、レーザ光源部７３には治療用の所望の波長のレーザ光を射出する図示しないＬＤが配されている。
【００５１】
この生体処置システム７０によれば、異なる波長のレーザ光を一つの選択部７５を介して複数のレーザ光利用部に供給することができ、より好適に省力化、省スペース化を図ることができる。
【００５２】
なお、本発明の技術範囲は上記実施の形態に限定されるものではなく、本発明の趣旨を逸脱しない範囲において種々の変更を加えることが可能である。
例えば、上記実施形態では、レーザ光源部６が天吊アーム又は手術室外に配されているとしているが、図８に示すように、手術室内のベッド２３の下方にレーザ光源部６が配されている生体処置システム８０としても構わない。
この場合、上記各実施形態と同様に図示しないレーザ光導光部とレーザ光源部６とを接続する又は予め接続することによって、上記実施形態と同様に内視鏡本体等の小型化・軽量化を図ることができる。
【図面の簡単な説明】
【００５３】
【図１】本発明の第１の実施形態に係る生体処置システムを示す概要図である。
【図２】本発明の第１の実施形態に係る生体処置システムを示す機能ブロック図である。
【図３】本発明の第３の実施形態に係る生体処置システムを示す機能ブロック図である。
【図４】本発明の第４の実施形態に係る生体処置システムを示す機能ブロック図である。
【図５】本発明の第５の実施形態に係る生体処置システムを示す機能ブロック図である。
【図６】本発明の第６の実施形態に係る生体処置システムを示す機能ブロック図である。
【図７】本発明の第７の実施形態に係る生体処置システムを示す機能ブロック図である。
【図８】本発明の他の実施形態に係る生体処置システムを示す機能ブロック図である。
【図９】従来の生体処置システムを示す機能ブロック図である。
【符号の説明】
【００５４】
１、３０、４０、５０、６０、７０、８０  生体処置システム
２  手術室（処置室）
６、７１、７２、７３  レーザ光源部
７、３７、４１、４２、４３  内視鏡本体（レーザ光利用部）
１０、３１  レーザ光導光部
１７  挿入部
２０  蛍光体
３２  送信部
３３  受信部
４５  分配器（分配部）
４６、５２、６６  ＬＤ駆動部（制御部）
５１、６１、６２、６３  光検出部
６５  主光検出部
７５  選択部
【図１】
2006288534.tif 000003
【図２】
2006288534.tif 000004
【図３】
2006288534.tif 000005
【図４】
2006288534.tif 000006
【図５】
2006288534.tif 000007
【図６】
2006288534.tif 000008
【図７】
2006288534.tif 000009
【図８】
2006288534.tif 000010
【図９】
2006288534.tif 000011